(57)【要約】【課題】盤面側に突出部分が存在するパチンコ台に対して、従来通りの設置場所に設置することができ、当該パチンコ台の玉受け皿上にパチンコ玉を適切に案内することができるパチンコ玉貸機を提供すること。【解決手段】本発明は、パチンコ台２０の玉受け皿２０ａへパチンコ玉を投出するためのパチンコ玉貸機１０である。玉貸機本体部１１の前面に、玉貸機本体部１１の前後方向に移動可能に、ノズル取付部１２が設けられる。ノズル取付部１２に旋回可能に投出ノズル１３が設けられる。ノズル取付部１２は、玉貸機本体部１１の前後方向について、パチンコ台２０の前面の装飾状態に応じて位置決めされ得る。投出ノズル１３は、好適に位置決めされたノズル取付部１２に対して旋回された状態において、パチンコ台２０の玉受け皿２０ａへパチンコ玉を投出する位置姿勢をとることができる。【選択図】  図１
2005000223.tif 000002
【特許請求の範囲】
【請求項１】
パチンコ台の玉受け皿へパチンコ玉を投出するためのパチンコ玉貸機であって、
前記パチンコ台に略隣接して設置される玉貸機本体部と、
前記玉貸機本体部の前面に、前記玉貸機本体部の前後方向に移動可能に設けられたノズル取付部と、
前記ノズル取付部に旋回可能に設けられた投出ノズルと、
を備え、
前記ノズル取付部は、前記玉貸機本体部の前後方向について、前記パチンコ台の前面の装飾状態に応じて位置決めされることができ、
前記投出ノズルは、位置決めされた前記ノズル取付部に対して旋回された状態において、前記パチンコ台の玉受け皿へパチンコ玉を投出する位置姿勢をとることができる
ことを特徴とするパチンコ玉貸機。
【請求項２】
パチンコ台の玉受け皿へパチンコ玉を投出するためのパチンコ玉貸機であって、
前記パチンコ台に略隣接して設置される玉貸機本体部と、
前記玉貸機本体部の前面に設けられたノズル取付部と、
前記ノズル取付部に旋回可能に設けられた投出ノズルと、
を備え、
前記投出ノズルは、
前記ノズル取付部に接続される基端側案内部と、
ノズル出口が形成された先端側案内部と、
前記基端側案内部と前記先端側案内部とを旋回可能に接続する旋回接続部と、を有しており、
前記投出ノズルは、前記基端側案内部が前記ノズル取付部に対して旋回されると共に、前記先端側案内部が前記基端側案内部に対して旋回された状態において、前記パチンコ台の玉受け皿へパチンコ玉を投出する位置姿勢をとることができる
ことを特徴とするパチンコ玉貸機。
【請求項３】
パチンコ台の玉受け皿へパチンコ玉を投出するためのパチンコ玉貸機であって、
前記パチンコ台に略隣接して設置される玉貸機本体部と、
前記玉貸機本体部の前面に設けられたノズル取付部と、
前記ノズル取付部に旋回可能に設けられた湾曲形状の投出ノズルと、
を備え、
前記投出ノズルは、前記ノズル取付部に対して旋回された状態において、前記パチンコ台の玉受け皿へパチンコ玉を投出する位置姿勢をとることができる
ことを特徴とするパチンコ玉貸機。
【請求項４】
前記投出ノズルは、前記ノズル取付部に対して着脱可能である
ことを特徴とする請求項２または３に記載のパチンコ玉貸機。
【発明の詳細な説明】
【０００１】
【発明の属する技術分野】
本発明は、パチンコの遊技媒体（パチンコ玉）をパチンコ台の玉受け皿へ投出するためのパチンコ玉貸機に関するものである。
【０００２】
【従来の技術】
図６を用いて、従来のパチンコ玉貸機について説明する。なお、パチンコ玉貸機とは、貨幣や各種カードを受け入れて玉を貸し出すいわゆる台間玉貸機の他に、会員カード挿入と暗証番号入力とにより貯玉を引き落とすいわゆる再プレイ玉貸機をも含む。
【０００３】
図６に示すように、従来のパチンコ玉貸機１００は、パチンコ台１１０の左側に略隣接して設置される玉貸機本体部１０１を備えている。玉貸機本体部１０１の前面には、当該玉貸機本体部１０１の前面から突出するように、ノズル取付部１０２が固定されている。ノズル取付部１０２には、水平面内で当該ノズル取付部１０２に対して左右方向に旋回可能に、投出ノズル１０３が取り付けられている。
【０００４】
次に、パチンコ玉貸機１００の作用について説明する。
【０００５】
利用者がパチンコ玉貸機１００を利用する場合、当該利用者は投出ノズル１０３を右側に手動で旋回させて、投出ノズル１０３のノズル出口（先端開口部）１０３ａをパチンコ台１１０の玉受け皿１１０ａ上に位置決めする。
【０００６】
この状態で、当該利用者は、玉貸機本体部１０１の入力部（図示しない）に対して、例えば貨幣あるいは各種カード（会員カードや貯玉カードなど）を入力する。玉貸機本体部１０１の処理部（図示しない）は、貨幣あるいは各種カードが入力部へ適切に入力された場合に、投出ノズル１０３を介してパチンコ玉を投出する。投出ノズル１０３は、前記のように位置決めされているので、パチンコ玉は玉受け皿１１０ａ上に適切に案内される。
【０００７】
【発明が解決しようとする課題】
従来のパチンコ台は、ガラス面と台枠とを含む盤面（前面）側は、全て平坦に設計されていた。従って、投出ノズル１０３の旋回移動に伴う軌道も、図６に示すような軌道に設計されており、すなわち、パチンコ台の盤面に略平行な位置姿勢に旋回された状態でパチンコ台１１０の玉受け皿１１０ａ上に位置決めされるようになっていた。
【０００８】
しかしながら、最近、盤面の台枠に突出部分を有する装飾がなされたパチンコ台の開発が行われている。
【０００９】
盤面側に突出部分が存在するパチンコ台に対して従来のパチンコ玉貸機１００を従来通りの設置場所に設置すると、図７に示すように、投出ノズル１０３の旋回軌道が当該突出部分と干渉してしまうため、投出ノズル１０３のノズル出口１０３ａをパチンコ台１１０の玉受け皿１１０ａ上に位置決めすることができない。
【００１０】
投出ノズル１０３がパチンコ台１１０の玉受け皿１１０ａ上に適切に位置決めされるためには、パチンコ玉貸機１００は、相対的にパチンコ台１１０に対して手前方向に引き出された位置に設置される必要がある。
【００１１】
しかしながら、パチンコ台１１０の設置位置を変えないで、パチンコ玉貸機１００をパチンコ台１１０より手前側に設置する場合、パチンコ台１１０の交換等の都度、パチンコ玉貸機１００の設置位置も変更しなければならない。また、パチンコ玉貸機１００が通路側に突出することになるため、見苦しくなるという美観上の問題が生じるとともに、玉貸機本体部１０１の側面が露出することになって玉貸機本体部１０１に対して不正行為が行われるおそれも生じてくる。
【００１２】
一方、パチンコ玉貸機１００の設置位置を変えないで、パチンコ台の方をパチンコ玉貸機１００よりも奥側に設置する場合、「島」と呼ばれるパチンコ台の裏側の領域が狭くなって、玉補給機構、貨幣やカードの回収機構等を設置することが困難になるし、見苦しくなるという美観上の問題や、露出する側面から玉貸機本体部１０１に対して不正行為が行われるおそれも生じてくる。
【００１３】
本発明は、このような事情に鑑みてなされたもので、盤面側に突出部分が存在するパチンコ台に対して、従来通りの設置場所に設置することができ、当該パチンコ台の玉受け皿上にパチンコ玉を適切に案内することができるパチンコ玉貸機を提供することを目的とする。
【００１４】
【特許文献１】
特開平８−２０６３４７号公報
【００１５】
【課題を解決するための手段】
本発明は、パチンコ台の玉受け皿へパチンコ玉を投出するためのパチンコ玉貸機であって、前記パチンコ台に略隣接して設置される玉貸機本体部と、前記玉貸機本体部の前面に、前記玉貸機本体部の前後方向に移動可能に設けられたノズル取付部と、前記ノズル取付部に旋回可能に設けられた投出ノズルと、を備え、前記ノズル取付部は、前記玉貸機本体部の前後方向について、前記パチンコ台の前面の装飾状態に応じて位置決めされることができ、前記投出ノズルは、位置決めされた前記ノズル取付部に対して旋回された状態において、前記パチンコ台の玉受け皿へパチンコ玉を投出する位置姿勢をとることができることを特徴とするパチンコ玉貸機である。
【００１６】
本発明によれば、ノズル取付部が、玉貸機本体部の前後方向について、パチンコ台の前面の装飾状態に応じて位置決めされるため、投出ノズルは、旋回された状態において、パチンコ台の前面の装飾状態に関わらず、パチンコ台の玉受け皿へパチンコ玉を投出する位置姿勢をとることができる。
【００１７】
つまり、パチンコ台の前面の装飾状態に応じてノズル取付部の位置が調整されることにより、パチンコ台の前面の装飾状態に応じてパチンコ玉貸機の全体の位置を変更する必要が無い。
【００１８】
あるいは、本発明は、パチンコ台の玉受け皿へパチンコ玉を投出するためのパチンコ玉貸機であって、前記パチンコ台に略隣接して設置される玉貸機本体部と、前記玉貸機本体部の前面に設けられたノズル取付部と、前記ノズル取付部に旋回可能に設けられた投出ノズルと、を備え、前記投出ノズルは、前記ノズル取付部に接続される基端側案内部と、ノズル出口が形成された先端側案内部と、前記基端側案内部と前記先端側案内部とを旋回可能に接続する旋回接続部と、を有しており、前記投出ノズルは、前記基端側案内部が前記ノズル取付部に対して旋回されると共に、前記先端側案内部が前記基端側案内部に対して旋回された状態において、前記パチンコ台の玉受け皿へパチンコ玉を投出する位置姿勢をとることができることを特徴とするパチンコ玉貸機である。
【００１９】
本発明によれば、投出ノズルの先端側案内部が基端側案内部に対して旋回できるため、パチンコ台の前面の装飾状態に関わらず、投出ノズルはパチンコ台の玉受け皿へパチンコ玉を投出する位置姿勢をとることができる。
【００２０】
つまり、パチンコ台の前面の装飾状態に応じて先端側案内部と基端側案内部との間の旋回状態が調整されることにより、パチンコ台の前面の装飾状態に応じてパチンコ玉貸機の全体の位置を変更する必要が無い。
【００２１】
あるいは、本発明は、パチンコ台の玉受け皿へパチンコ玉を投出するためのパチンコ玉貸機であって、前記パチンコ台に略隣接して設置される玉貸機本体部と、前記玉貸機本体部の前面に設けられたノズル取付部と、前記ノズル取付部に旋回可能に設けられた湾曲形状の投出ノズルと、を備え、前記投出ノズルは、前記ノズル取付部に対して旋回された状態において、前記パチンコ台の玉受け皿へパチンコ玉を投出する位置姿勢をとることができることを特徴とするパチンコ玉貸機である。
【００２２】
本発明によれば、投出ノズルが湾曲形状に形成されているため、パチンコ台の前面に突起状の装飾がある場合でも、投出ノズルは当該装飾を迂回してパチンコ台の玉受け皿へパチンコ玉を投出する位置姿勢をとることができる。
【００２３】
なお、以上の各構成において、投出ノズルはノズル取付部に対して着脱可能であることが好ましい。この場合、投出ノズルのみの交換等が可能となる。
【００２４】
【発明の実施の形態】
次に、本発明の実施の形態を詳しく説明する。
【００２５】
図１は、本発明のパチンコ玉貸機の第１の実施の形態の構成を示す概略図である。
【００２６】
図１に示すように、本実施の形態のパチンコ玉貸機１０は、パチンコ台２０の例えば左側に略隣接して設置される玉貸機本体部１１を備えている。玉貸機本体部１１の前面には、当該玉貸機本体部１１の前面から突出するように、ノズル取付部１２が設けられている。
【００２７】
ここで、本実施の形態のノズル取付部１２は、玉貸機本体部１１の前後方向について移動可能であり、すなわち、玉貸機本体部１１の前後方向について、パチンコ台２０の盤面（前面）側の装飾状態に応じて、任意の位置に位置決め可能となっている。
【００２８】
ノズル取付部１２には、水平面内で当該ノズル取付部１２に対して左右方向に旋回可能に、投出ノズル１３が取り付けられている。
【００２９】
以上のような構成により、投出ノズル１３は、好適な位置に位置決めされたノズル取付部１２に対して旋回された状態において、パチンコ台２０の玉受け皿２０ａへパチンコ玉を投出する位置姿勢をとれるようになっている。
【００３０】
図１に示すように、パチンコ玉貸機１０のパチンコ台２０に対する設置位置は、パチンコ台２０の前面側の装飾状態に関わらず、従来と同様の位置とすることができる。なぜなら、パチンコ台２０の盤面の装飾状態に応じてノズル取付部１２の位置が調整され得るため、パチンコ台２０の盤面の装飾状態に応じてパチンコ玉貸機１０全体の位置を変更する必要が無いからである。
【００３１】
次に、本実施の形態のパチンコ玉貸機１０の作用について説明する。
【００３２】
パチンコ施設の運営者は、予め、パチンコ台２０の盤面側の装飾状態に合わせて、ノズル取付部１２を好適な位置に位置決めしておく。好適な位置に位置決めされた後は、ノズル取付部１２は固定されることが好ましい。ノズル取付部１２の固定の態様については、公知の種々の態様が採用され得る。
【００３３】
さて、利用者がパチンコ玉貸機１０を利用する場合、当該利用者は投出ノズル１３を右側に手動で旋回させて、投出ノズル１３のノズル出口１３ａをパチンコ台２０の玉受け皿２０ａ上に位置決めする。この時、ノズル取付部１２の位置が、パチンコ台２０の盤面側の装飾状態に合わせて設定されているため、例えばパチンコ台２０の盤面側に突出部分が存在する場合であっても、投出ノズル１３の旋回軌道が当該突出部分と干渉することが無い。
【００３４】
投出ノズル１３のノズル出口１３ａが玉受け皿２０ａ上に位置決めされた状態で、当該利用者は、玉貸機本体部１１の入力部（図示しない）に対して、例えば貨幣あるいは各種カード（会員カードや貯玉カードなど）を入力する。玉貸機本体部１１の処理部（図示しない）は、貨幣あるいは各種カードが入力部へ適切に入力された場合に、投出ノズル１３を介してパチンコ玉を投出する。投出ノズル１３は、前記のように位置決めされているので、パチンコ玉は玉受け皿２０ａ上に適切に案内される。
【００３５】
以上のように、本実施の形態によれば、ノズル取付部１２が、パチンコ台２０の盤面側の装飾状態に応じて好適に位置決めされるため、投出ノズル１３は、パチンコ台２０の装飾状態に関わらず、パチンコ台２０の玉受け皿２０ａへパチンコ玉を投出する位置姿勢をとることができる。
【００３６】
なお、パチンコ台２０の前扉を開放して作業を行う時等には、ノズル取付部１２を奥側の位置に移動させることが好ましい。
【００３７】
図２は、玉貸機本体部１１に対して前後方向に移動可能に設置されるノズル取付部１２の当該移動構造の一例を示す概略断面図である。
【００３８】
図２に示される例では、ノズル取付部１２が、パチンコ玉３０の通路部１２ａと、当該通路部１２ａに至る玉案内レール１２ｂと、保持レール１２ｃと、投出ノズル１３の装着部１２ｄと、を有している。
【００３９】
図２において、通路部１２ａ及び装着部１２ｄは、作用が理解し易いように極めて簡潔に描かれているのみであり、それらの詳細な図示及び説明は、従来より公知のものと同様であるので、ここでは省略する。ノズル取付部１２と投出ノズル１３との間の旋回可能構造の詳細についても、従来より公知のものと同様であるので、ここでは説明を省略する。図２においては、投出ノズル１３がノズル取付部１２に対して右側に旋回された状態を示している。
【００４０】
一方、玉貸機本体部１１は、内部上方に配置される玉投出機構（図示しない）から投出されるパチンコ玉が落下してくる玉放出部１１ａと、玉放出部１１ａから放出されるパチンコ玉３０を案内すると共に前記玉案内レール１２ｂと摺動可能に接続された玉案内レール１１ｂと、前記保持レール１２ｃと摺動可能に接続され当該保持レール１２ｃを介して前記ノズル取付部１２の全体を保持する保持レール１１ｃと、を有している。
【００４１】
図２の構造例の場合、玉案内レール１１ｂ、１２ｂ間の接続状態及び保持レール１１ｃ、１２ｃ間の接続状態を調整することによって、図２（ａ）に示す位置から図２（ｂ）に示す位置までノズル取付部１２の位置が調整可能である。
【００４２】
参考のために、図３に、図２の構造例が採用された場合のパチンコ玉貸機の側面図を示す。図３（ａ）が図２（ａ）に略対応しており、図３（ｂ）が図２（ｂ）に略対応している。
【００４３】
続いて、図４は、本発明のパチンコ玉貸機の第２の実施の形態の構成を示す概略図である。
【００４４】
図４に示すように、本実施の形態のパチンコ玉貸機４０は、パチンコ台２０の例えば左側に略隣接して設置される玉貸機本体部４１を備えている。玉貸機本体部４１の前面には、当該玉貸機本体部４１の前面から突出するように、ノズル取付部４２が設けられている。
【００４５】
ここで、本実施の形態のノズル取付部４２は、従来のパチンコ玉貸機と同様に、玉貸機本体部４１に対して固定されている。
【００４６】
ノズル取付部４２には、水平面内で当該ノズル取付部４２に対して左右方向に旋回可能に、投出ノズル４３が取り付けられている。
【００４７】
ここで、本実施の形態の投出ノズル４３は、ノズル取付部４２に接続される基端側案内部４３ｂと、ノズル出口４３ａが形成された先端側案内部４３ｄと、基端側案内部４３ｂと先端側案内部４３ｄとを旋回可能に接続する旋回接続部４３ｃと、を有している。
【００４８】
以上のような構成により、投出ノズル４３は、基端側案内部４３ｂがノズル取付部４２に対して旋回されると共に先端側案内部４３ｄが基端側案内部４３ｂに対して旋回された状態において、パチンコ台２０の玉受け皿２０ａへパチンコ玉を投出する位置姿勢をとれるようになっている。
【００４９】
図４に示すように、パチンコ玉貸機４０のパチンコ台２０に対する設置位置は、パチンコ台２０の前面側の装飾状態に関わらず、従来と同様の位置とすることができる。なぜなら、パチンコ台２０の盤面の装飾状態に応じて投出ノズル４３の先端側案内部４３ｂと基端側案内部４３ｄとの間の旋回状態が調整され得るため、パチンコ台２０の盤面の装飾状態に応じてパチンコ玉貸機４０全体の位置を変更する必要が無いからである。
【００５０】
次に、本実施の形態のパチンコ玉貸機４０の作用について説明する。
【００５１】
利用者がパチンコ玉貸機４０を利用する場合、当該利用者は投出ノズル４３を右側に手動で旋回させると共に投出ノズル４３の先端側案内部４３ｄを基端側案内部４３ｂに対して更に右側に旋回させて、投出ノズル４３のノズル出口４３ａをパチンコ台２０の玉受け皿２０ａ上に位置決めする。この時、投出ノズル４３の先端側案内部４３ｄが基端側案内部４３ｂに対して更に旋回することにより、例えばパチンコ台２０の盤面側に突出部分が存在する場合であっても、投出ノズル４３のノズル出口４３ａをパチンコ台２０の玉受け皿２０ａ上に位置決めすることができる。
【００５２】
この状態で、当該利用者は、玉貸機本体部４１の入力部（図示しない）に対して、例えば貨幣あるいは各種カード（会員カードや貯玉カードなど）を入力する。玉貸機本体部４１の処理部（図示しない）は、貨幣あるいは各種カードが入力部へ適切に入力された場合に、投出ノズル４３を介してパチンコ玉を投出する。投出ノズル４３は、前記のように位置決めされているので、パチンコ玉は玉受け皿２０ａ上に適切に案内される。
【００５３】
以上のように、本実施の形態によれば、投出ノズル４３の先端側案内部４３ｄが基端側案内部４３ｂに対して旋回できるため、パチンコ台２０の前面の装飾状態に関わらず、投出ノズル４３はパチンコ台２０の玉受け皿２０ａへパチンコ玉を投出する位置姿勢をとることができる。
【００５４】
次に、図５は、本発明のパチンコ玉貸機の第３の実施の形態の構成を示す概略図である。
【００５５】
図５に示すように、本実施の形態のパチンコ玉貸機５０は、パチンコ台２０の例えば左側に略隣接して設置される玉貸機本体部５１を備えている。玉貸機本体部５１の前面には、当該玉貸機本体部５１の前面から突出するように、ノズル取付部５２が設けられている。
【００５６】
ここで、本実施の形態のノズル取付部５２は、従来のパチンコ玉貸機と同様に、玉貸機本体部５１に対して固定されている。
【００５７】
ノズル取付部５２には、水平面内で当該ノズル取付部５２に対して左右方向に旋回可能に、投出ノズル５３が取り付けられている。
【００５８】
ここで、本実施の形態の投出ノズル５３は、パチンコ台２０の盤面において想定される突出した装飾を迂回できるように、予め湾曲形状に構成されている。
【００５９】
以上のような構成により、投出ノズル５３は、ノズル取付部５２に対して旋回された状態において、パチンコ台２０の玉受け皿２０ａへパチンコ玉を投出する位置姿勢をとれるようになっている。
【００６０】
図５に示すように、パチンコ玉貸機５０のパチンコ台２０に対する設置位置は、パチンコ台２０の前面側の装飾状態に関わらず、従来と同様の位置とすることができる。なぜなら、パチンコ台２０の盤面に突起状の装飾が存在する場合であっても、投出ノズル４３が湾曲形状に構成されているため、パチンコ台２０の盤面の装飾状態に応じてパチンコ玉貸機４０全体の位置を変更する必要が無いからである。
【００６１】
次に、本実施の形態のパチンコ玉貸機５０の作用について説明する。
【００６２】
利用者がパチンコ玉貸機５０を利用する場合、当該利用者は投出ノズル５３を右側に手動で旋回させて、投出ノズル５３のノズル出口５３ａをパチンコ台２０の玉受け皿２０ａ上に位置決めする。この時、投出ノズル５３が湾曲形状であることにより、例えばパチンコ台２０の盤面側に突出部分が存在する場合であっても、投出ノズル５３のノズル出口５３ａはパチンコ台２０の玉受け皿２０ａ上に位置決めされ得る。
【００６３】
この状態で、当該利用者は、玉貸機本体部５１の入力部（図示しない）に対して、例えば貨幣あるいは各種カード（会員カードや貯玉カードなど）を入力する。玉貸機本体部５１の処理部（図示しない）は、貨幣あるいは各種カードが入力部へ適切に入力された場合に、投出ノズル５３を介してパチンコ玉を投出する。投出ノズル５３は、前記のように位置決めされているので、パチンコ玉は玉受け皿２０ａ上に適切に案内される。
【００６４】
以上のように、本実施の形態によれば、投出ノズル５３が予め好適な湾曲形状に形成されているため、パチンコ台２０の前面に突出状の装飾があっても、投出ノズル５３はパチンコ台２０の玉受け皿２０ａへパチンコ玉を投出する位置姿勢をとることができる。
【００６５】
なお、以上の第２の実施の形態及び第３の実施の形態において、投出ノズル４３、５３はノズル取付部４２、５２に対して着脱可能であることが好ましい。この場合、投出ノズルが故障した場合に、当該投出ノズルのみを交換等することができる。投出ノズルは通常前方に突出した状態にあり、遊技者との接触によって破損することがあるため、投出ノズルのみを交換できることは、製品管理コスト等の面で極めて有用である。
【００６６】
また、以上の各実施の形態において、玉貸機本体部１１、４１、５１の入力部には、例えば暗証番号を入力するための番号入力部等も設けられ得る。
【００６７】
【発明の効果】
本発明のパチンコ玉貸機によれば、盤面側に突出部分が存在するようなパチンコ台に対しても、従来通りの設置場所に設置することができ、当該パチンコ台の玉受け皿上にパチンコ玉を適切に案内することができる。
【図面の簡単な説明】
【図１】本発明のパチンコ玉貸機の第１の実施の形態を示す概略平面図。
【図２】玉貸機本体部に対して前後方向に移動可能なノズル取付部の当該移動構造の一例を示す概略断面図。
【図３】図２に対応するパチンコ玉貸機の側面図。
【図４】本発明のパチンコ玉貸機の第２の実施の形態を示す概略平面図。
【図５】本発明のパチンコ玉貸機の第３の実施の形態を示す概略平面図。
【図６】従来のパチンコ玉貸機を示す概略平面図。
【図７】盤面側に突起状の装飾部分が存在するパチンコ台に対して適用された従来のパチンコ玉貸機を示す概略図。
【符号の説明】
１０  パチンコ玉貸機
１１  玉貸機本体部
１１ａ  玉放出部
１１ｂ  玉案内レール
１１ｃ  保持レール
１２  ノズル取付部
１２ａ  通路部
１２ｂ  玉案内レール
１２ｃ  保持レール
１２ｄ  ノズル装着部
１３  投出ノズル
１３ａ  ノズル出口
２０  パチンコ台
２０ａ  玉受け皿
３０  パチンコ玉
４０  パチンコ玉貸機
４１  玉貸機本体部
４２  ノズル取付部
４３  投出ノズル
４３ａ  ノズル出口
４３ｂ  基端側案内部
４３ｃ  旋回接続部
４３ｄ  先端側案内部
５０  パチンコ玉貸機
５１  玉貸機本体部
５２  ノズル取付部
５３  投出ノズル
５３ａ  ノズル出口
【図１】
2005000223.tif 000003
【図２】
2005000223.tif 000004
【図３】
2005000223.tif 000005
【図４】
2005000223.tif 000006
【図５】
2005000223.tif 000007
【図６】
2005000223.tif 000008
【図７】
2005000223.tif 000009